【手続補正書】
【提出日】平成17年11月24日(2005.11.24)
【手続補正１】
【補正対象書類名】明細書
【補正対象項目名】特許請求の範囲
【補正方法】変更
【補正の内容】
【特許請求の範囲】
【請求項１】
ローカルデータ処理ユニット(10)をリモートデータ処理ユニット(90)により遠隔地から管理するよう構成されたリモートマネジメントユニット(50)であって、該リモートマネジメントユニット(50)が、前記ローカルデータ処理ユニット(10)の外部のネットワーク(100)により前記リモートデータ処理ユニット(90)に結合されるよう構成され、及び前記ローカルデータ処理ユニット(10)の内部バスを介して該ローカルデータ処理ユニット(10)に結合され、該リモートマネジメントユニット(50)が、
前記ローカルデータ処理ユニット(10)と前記外部ネットワーク(100)を介して前記リモートマネジメントユニット(50)に結合されたリモートデータキャリア(110)と間のデータ交換を提供するデータ交換インタフェイス(60)を含み、
該データ交換インタフェイス(60)が、
(a) 前記ローカルデータ処理ユニット(10)が、前記データ交換インタフェイス(60)を、該ローカルデータ処理ユニット(10)にとって既知のデータキャリアタイプの標準的なインタフェイスを表し又は提供するものとして認識し、及び、
(b) 前記ローカルデータ処理ユニット(10)と前記リモートデータキャリア(110)との間のデータ交換を行うよう前記外部ネットワーク(100)を介した前記リモートデータキャリア(110)との前記リモートマネジメントユニット(50)のデータ交換を提供する
よう構成されている、リモートマネジメントユニット(50)。
【請求項２】
前記ローカルデータ処理ユニット(10)のローカルバス(40)により該ローカルデータ処理ユニット(10)に接続される、請求項１に記載のリモートマネジメントユニット(50)。
【請求項３】
一時的にデータをバッファし及び／又はキャッシュするローカルメモリを更に含む、請求項１又は請求項２に記載のリモートマネジメントユニット(50)。
【請求項４】
ローカルデータ処理ユニット(10)とリモートデータキャリア(110)との間のデータ交換を提供するシステムであって、
リモートデータ処理ユニット(90)と、
前記ローカルデータ処理ユニット(10)に接続され、前記リモートデータ処理ユニット(90)により遠隔地から前記ローカルデータ処理ユニット(10)を管理するよう構成され、及び前記ローカルデータ処理ユニット(10)と前記リモートデータキャリア(110)との間のデータ交換を提供する、請求項１ないし請求項３の何れか一項に記載のリモートマネジメントユニット(50)とを備え、
前記リモートデータ処理ユニット(90)、前記リモートデータキャリア(110)、及び前記リモートマネジメントユニット(50)が、前記ローカルデータ処理ユニット(10)の外部のネットワーク(100)を介して結合され、前記リモートマネジメントユニット(50)が、前記ローカルデータ処理ユニット(10)の内部バスを介して該ローカルデータ処理ユニット(10)に結合される、システム。
【請求項５】
ローカルデータ処理ユニット(10)に接続されると共に該ローカルデータ処理ユニット(10)をリモートデータ処理ユニット(90)により遠隔地から管理するよう構成されたリモートマネジメントユニット(50)を有するシステムにおいて、前記ローカルデータ処理ユニット(10)とリモートデータキャリア(110)との間のデータ交換を提供するための方法であって、前記リモートデータ処理ユニット(90)、前記リモートデータキャリア(110)、及び前記リモートマネジメントユニット(50)が、外部ネットワーク(100)を介して結合されており、該方法が、
(a)  前記ローカルデータ処理ユニット(10)が、前記リモートマネジメントユニット(50)のデータ交換インタフェイス(60)を、該ローカルデータ処理ユニット(10)にとって既知のデータキャリアタイプの標準的なインタフェイスを表し又は提供するものとして認識するように、該データ交換インタフェイス(60)を構成し、
(b)  前記ローカルデータ処理ユニット(10)と前記リモートデータキャリア(110)との間のデータ交換を行うよう前記外部ネットワーク(100)を介した前記リモートデータキャリア(110)との前記リモートマネジメントユニット(50)のデータ交換を提供する、
という各ステップを含む方法。
【請求項６】
前記ステップ(b)が、
前記ローカルデータ処理ユニット(10)と該ローカルデータ処理ユニット(10)に向けて前記データ交換インタフェイス(60)により表されるタイプのデータキャリアとの間の仮想的なデータ交換に従って該ローカルデータ処理ユニット(10)と該データ交換インタフェイス(60)との間のデータ交換を行い、
前記外部ネットワーク(100)を介して前記データ交換インタフェイス(60)と前記リモートデータキャリア(110)との間のデータ交換を提供する、
という各ステップを含む、請求項５に記載の方法。
【請求項７】
前記ステップ(a)が前記リモートデータ処理ユニット(90)により実行される、請求項５又は請求項６に記載の方法。
【請求項８】
前記ローカルデータ処理ユニット(10)がアクセスすることになるデータ内容を前記リモートデータキャリア(110)中に設けるステップを含み、該データ内容が、該ローカルデータ処理ユニット(10)に向けて前記データ交換インタフェイス(60)により表されるデータキャリアタイプのデータキャリアフォーマットに対応する適当なデータフォーマットを有するものである、請求項５ないし請求項７の何れか一項に記載の方法。
【請求項９】
前記適当なデータフォーマットを有する前記データ内容が、前記リモートマネジメントユニット(50)によりアクセスされる前に前記リモートデータキャリア(110)中に設けられ、又は前記適当なデータフォーマットへの前記データ内容のデータフオーマット変換を、前記リモートマネジメントユニット(50)によるアクセス後に提供する、請求項８に記載の方法。
【請求項１０】
リモートデータ処理ユニット(90)により遠隔地から制御されるリモートマネジメントユニット(50)によりローカルデータ処理ユニット(10)へデータ内容をロードする方法であって、
(a)  前記ローカルデータ処理ユニット(10)が、前記リモートマネジメントユニット(50)のデータ交換インタフェイス(60)を、該ローカルデータ処理ユニット(10)にとって既知のタイプの仮想的なデータキャリアの標準的なインタフェイスを表し又は提供するものとして認識するように、該ローカルデータ処理ユニット(10)の外部のネットワーク(100)を介して前記データ交換インタフェイス(60)を構成し、
(b)  前記データ交換インタフェイス(60)により前記ローカルデータ処理ユニット(10)に対して表される仮想的なデータキャリアからのデータ内容の仮想的な読み出し処理を該ローカルデータ処理ユニット(10)に開始させて、前記データ交換インタフェイス(60)が、前記外部ネットワーク(100)を介してリモートデータキャリア(110)からのデータ内容を要求して受信し、及び該受信したデータ内容を、前記仮想的なデータキャリアのデータフォーマットに対応するデータフォーマットで前記ローカルデータ処理ユニット(10)に提供する、
という各ステップを含む方法。
【請求項１１】
前記データ内容を前記リモートデータキャリア(110)に提供するステップを更に含む、請求項１０に記載の方法。
【請求項１２】
リモートデータ処理ユニット(90)により遠隔地からローカルデータ処理ユニット(10)をブートさせる方法であって、
(a)  前記ローカルデータ処理ユニット(10)が、リモートマネジメントユニット(50)のデータ交換インタフェイス(60)を、該ローカルデータ処理ユニット(10)にとって既知のタイプの仮想的なデータキャリアの標準的なブータブルドライブを表し又は提供するものとして認識するように、前記データ交換インタフェイス(60)を構成し、前記リモートマネジメントユニット(50)が、前記ローカルデータ処理ユニット(10)の外部のネットワーク(100)を介して前記リモートデータ処理ユニット(90)に結合されると共に、前記ローカルデータ処理ユニット(10)の内部バスを介して該ローカルデータ処理ユニット(10)に結合され、
(b)  前記データ交換インタフェイス(60)により前記ローカルデータ処理ユニット(10)に対して表される仮想的なデータキャリアからの仮想的なブート処理を該ローカルデータ処理ユニット(10)に開始させて、前記データ交換インタフェイス(60)が、前記ローカルデータ処理ユニット(10)により要求されたデータ内容の要求及び受信を前記外部ネットワーク(100)を介してリモートデータキャリア(110)に対して行い、及び該受信したデータ内容を前記仮想的なデータキャリアのデータフォーマットに対応するデータフォーマットで前記ローカルデータ処理ユニット(10)に提供する、
という各ステップを含む方法。
【請求項１３】
コンピュータ等のデータ処理システム上で実行する際に請求項５ないし請求項１２の何れか一項に記載の方法を実行するよう好適にはデータキャリア上に格納される、ソフトウェアプログラム又は製品。